(57)【特許請求の範囲】
【請求項１】
肘掛け（5，6）に固定されることになっている固定支持部材（7）と、
椅子（1）の対称の垂直面に水平且つ平行な第1の軸（8）のまわりで前記固定支持部材（7）上に回転可能に取り付けられた回転可能な支持体（12）と、
前記回転可能な支持体（12）上で、前記第1の軸（8）に対して直角な第2の軸（30）のまわりで回転可能に取り付けられるとともに、前記第2の軸(30)と垂直であるタブレット（29）と、
回転可能な支持体（12）が固定部材（7）に対して回転して、タブレット（29）を使用する際の水平状態と、タブレット（29）の持ち上げられるとともに実質的な垂直状態とのそれぞれに対応する2つの端位置を規定するための第1の停止手段（21，22，23）と、
タブレット（29）が回転可能な支持体（12）に対してタブレット（29）の垂直位置で回転して、前記のタブレット（29）の持ち上げられた垂直位置とタブレット（29）のレスト下部垂直位置とのそれぞれに対応する2つの端を規定するための第2の停止手段（46，47，48）と、
タブレット（29）と回転可能な支持体（12）との間に有効に挿入され、タブレット（29）が垂直状態にあるときに、そのレスト位置に向かってタブレット（29）をバイアスする傾向があるバネ手段（49）と、
タブレット（29）が使用時のその水平状態にあるとき、前記バネ手段（49）の作用に対して、タブレット（29）が第2の軸（30）のまわりで回転しないようにするための制止手段（45a，19）と、
タブレット（29）のレスト下部垂直位置で動作する、第1の軸（8）のまわりで傾斜した位置を規定するための第3の停止手段（45b，24，25）であって、タブレット（29）が前記レスト下部垂直位置から始まるところに達することができ、前記傾斜位置がお互いの上に多くの同一の椅子を積み重ねるのに適した第3の停止手段と、を備え、
前記バネ手段（49）の作用によりタブレット（29）が前記第2の軸（30）のまわりで回転することを妨げるために、前記制止手段が、タブレット（29）とともに回転可能であり、且つ、前記固定支持部材に堅固に連結されたエレメント（19）の平らな前面に対して係合するのに適した平らなエッジ（45a）を有するプレート（45）を備えることを特徴とする、椅子肘掛け（5，6）上でタブレット（29）を支持するための装置。
【請求項２】
椅子の積み重ねができるタブレットの前記傾斜位置を制限するために、前記プレート（45）は、タブレットがそのレスト下部垂直状態にあるときのみ、固定支持部材（7）に堅固に接続された2つの停止面（24，25）と協働するのに適した部分（45b）を有することを特徴とする、請求項１に記載の装置。
【請求項３】
前記第1の停止手段は、固定支持部材（7）に取り付けられ、回転可能な支持体（12）に取り付けられたスタッド（23）と協働する端面（21，22）を有する周囲のトラック（20）を有するプレート（19）を備え、前記プレート（19）が、椅子を積み重ねるためのそのレスト位置と傾斜位置との間でタブレットの回転の端位置を規定するために前記停止面（24，25）を備えることを特徴とする、請求項２に記載の装置。
【請求項４】
前記回転可能な支持体は、Ｕ字型のブラケット（12）によって構成され、前記固定支持部材を構成する固定ピン（7）上に回転可能に取り付けられた中央プレート（13）を有し、2つの平行なアーム（14，15）はその軸が前記第2の軸（30）と一致しているピン（32）を回転可能に支持するとともに、その一端で前記タブレット（29）を支持し、前記バネ手段は、タブレット（29）を支持する前記ピン（32）のまわりに取り付けられたコイルバネ（49）によって構成され、前記停止面（21，22，24，25）を備える前記プレート（19）は、2つのアーム（14，15）の間で、回転可能な支持体（12）の中央プレート（13）を越えて突出する前記支持固定ピン（7）の一端に固定されていることを特徴とする、請求項３に記載の装置。
【請求項５】
前記１乃至４のいずれかに記載された装置を備えることを特徴とする椅子。
【発明の詳細な説明】
【０００１】
【発明の属する技術分野】
本発明は、椅子タブレット用のパニック防止支持装置、及びこの装置を備える椅子に関する。
【０００２】
【従来の技術】
肘掛けと、水平位置と垂直位置との間にある肘掛け上に回転可能なように取り付けられたタブレットとを備えるタイプの椅子において、そのタブレットは、垂直状態にあるとき、持ち上げられた垂直位置とレスト下部垂直位置との間でさらに回転可能なように取り付けられている。
【０００３】
【発明が解決しようとする課題】
本発明の目的は、上記タイプの椅子を提供することである。すなわち、タブレットは、そのレスト位置とその動作位置との間で、単純で且つ容易な方法で可動である。特に、パニック防止の安全機能が確実に作動するように、タブレットを直接に把持することなく、着席していた人が立ち上がるとき（例えば、緊急状況において）、その人の身体によって加えられた力だけの結果として、動作位置からレスト位置に素早く動かされる。最後に、タブレットによって同じ種類の多くの椅子がお互いに積まれた状態に保管されることを妨げない。
【０００４】
【課題を解決するための手段及び作用・効果】
この目的を達成するために、本発明は、以下のことを特徴とする上記タイプの椅子を提供する。すなわち、多くの椅子をお互いに積み重ねることができる傾斜位置に可動であるように、上述のタブレットは、それが前記レスト下部垂直位置にあるとき、椅子の垂直方向の中央面と平行な水平軸のまわりで回転可能なような方法で支持される。
【０００５】
本発明は、タブレットを椅子肘掛け上に取り付けるためのものと本質的に見なされたタブレット支持装置をも提供するものであり、以下のものを備えることを特徴とする。すなわち、肘掛けに固定される固定支持部材と、
椅子の対称の垂直面に平行な第1の水平軸のまわりで前記固定支持部材上に回転可能に取り付けられた、回転可能な支持体と、
前記第1の軸に対して直角な第2の軸のまわりで、前記回転可能な支持体上に回転可能に取り付けられ、前記第2の軸と実質的に垂直であるタブレットと、
回転可能な支持体が固定部材に対して回転可能な2つの端位置を規定するための第1の停止手段であって、前記位置がタブレットの使用の水平状態と、タブレットの持ち上げられた実質的に垂直状態とのそれぞれに対応する第1の停止手段と、
タブレットがタブレットの垂直状態で、回転可能な支持体に対して回転するための2つの端位置を規定するための第2の停止手段であって、前記位置が、タブレットの前記持ち上げられた垂直位置とタブレットのレスト垂直位置とにそれぞれ対応する第2の停止手段と、
タブレットと回転可能な支持体との間で有効に挿入され、タブレットがその垂直状態にあるとき、そのレスト位置の方へタブレットをバイアスする傾向があるバネ手段と、
タブレットが使用時にその水平状態にあるとき、タブレットが前記バネ手段の作用に対して、第2の軸のまわりで回転することを妨げるための制止手段と、
第1の軸のまわりで傾斜した位置を規定するために、タブレットの前記レスト下部垂直位置で動作している第3の停止手段であって、タブレットが、前記レスト下部垂直位置から始まって、そこまで動くことができ、前記傾斜位置がお互いの上に多くの椅子を積むことに適した第3の停止手段とを備える。
【０００６】
【発明の実施の形態】
本発明は、非制限的な実施例として、以下の添付図面に示されている。
【０００７】
図lは、本発明に係る椅子の実施形態を示す。しかしながら、本発明に係るタブレット支持装置があらゆる椅子構造にも適用されることは、明白である。さらに、明白なように、以下の説明は、本発明に係る支持装置が椅子の右手の肘掛けに固定される椅子に関する。全く同じ方法であり且つ本明細書に記載されたそれと鏡のような左右対称に作られた装置が椅子の左手の肘掛けに適用可能であることは、明らかである。本発明に係る装置が、肘掛け以外の椅子構造の構成要素に適用できることも明らかである。
【０００８】
図1に示した実施形態に戻ると、参照番号1は、通常、椅子を示し、ベース構造によって支えられたシート2を備えている。この場合、椅子は2つの前脚3と2つの後脚4とを備えている。2つの肘掛け5は、椅子のベース構造に固定され、そのそれぞれは、肘掛け部材6が取り付けられる水平部分5aを含む管状構造を有している。また、図示した実施例の場合、各々の肘掛け部材6は、作用しない持ち上げられた端位置（図1に示す）と、作用する下部位置との間で、各管状支持部分5a上に回転可能に取り付けられている。そして、各々の肘掛け部材6は、第1の位置に対して約90度の角度で回転する。その位置では、各々の肘掛け部材6の上面が実質的に水平である。各々の肘掛け部材6が、それぞれの支持管状部分5aと、作用しない持ち上げられた位置及び各肘掛け部材6の作用している下部位置を規定することができる停止手段との上での支持方法に関する詳細なことは、本明細書には示していない。なぜならば、それらは、あらゆる既知の方法でなされ、本発明の範囲内にはいることはないからである。さらに、すでに上述したように、本発明に係るタブレット支持装置が、あらゆる椅子構造とこの椅子の部分を形成するあらゆる支持構造（必ずしも肘掛けではない）とに適用されることは明らかである。
【０００９】
図3，7を特に参照すると、本発明に係るタブレット支持装置は、右手の肘掛け5の管状構造に取り外し可能なように接続されている固定支持部材7を有する。図示した実施例の場合においても、固定支持部材7は、椅子1の垂直中央面と水平且つ平行な方向に向いたその軸8を取り付け状態で有する円筒状のピンによって構成される。本明細書に記載した実施形態において、固定支持部材7は、プラスチック材からなるもう片一方のエレメント11に対してねじ10によって締めつけられるプラスチック材からなる支持エレメント9内にはめ込まれるルート部分7aを有する。プラスチック材料からなる2つの連れ添っているエレメント9，11は、右手の肘掛け5の管状構造の前方部分をその間でクランプする。そこでは、上部管状部分5aが、下部傾斜部分5b（図12，13）に対する角度を規定する。
【００１０】
図7にはっきりと示すように、円筒状のピン7によって構成された固定支持部材は、ピン7がはめ込まれたプラスチック材料からなるエレメント9から外側に突出する前部端部を有する。
【００１１】
ピン7によって構成された固定支持部材は、回転可能な支持体12を軸8のまわりで回転可能に取り付られている。図示した実施例において、この回転可能な支持体12は、2つの平行のアーム14，15（図3）を備えた中央プレート13を備えるＵ字型のブラケットによって構成されている。中央プレート13は、ピン7のまわりで回転可能なブッシユ17の低減した直径の端部17aが係合される中央丸穴16を有する。端部17aは、障害物となりながら穴16内に取り付けられ、その結果、ブッシユ16が回転可能な支持体12と回転可能な状態で接続される。
【００１２】
プレート13を越えて突出するピン7の端で、約90度の角度によって延在している周囲トラック20を有するプレート19が、堅固に接続されている。その端は、2つの停止面21，22によって規定され、回転可能な支持体12の2つの端位置を規定するためにプレート13から突出する円筒状スタッド23と協働している。以下に示すように、それは、タブレットの持ち上げられた垂直位置とタブレットの動作している水平位置とに対応する。すでに示したように、プレート19が、ピン7に堅く接続されている。それは、ピン7の端部の横断面における輪郭に対応する輪郭を有している2つの平行な平面を有する中央開口部23を有する。それは、2つの平行な平面7aも有する。トラック20の対向面上において、プレート19は、停止面24，25（図3）をさらに有する。その機能が、以下の中で明らかになる。プレート19は、図示した実施例において、プラスチック材料からなるカウンタプレート26によってさらに強化され、トラック20に対応する部分を除いて、実質的に円形の形状を有している。プレート26の周囲のエッジがトラック20の輪郭をたどる。バネ部分26aはつめ部材としての働きをさらに備えている。バネ部分26aは、停止部21に達するときにピン23がスナップ係合するのに適している。プレート26は、プレート19の対応する穴28を係合する2つのスタッド27を有し、あらゆる既知の方法でそれに固定される。同様に、プレート19は、あらゆる既知の方法で軸方向にピン7に接続される。
【００１３】
本発明に係る椅子は、実質的に円形の扇形形状をした平らなタブレット29（図1）を備えている。その椅子は、回転可能な支持体12の2つのアーム14，15上にあるのと同様に、軸8に対して直角な軸30のまわりで回転可能なように支持体10上に取り付けられている。このために、タブレット20は、アーム14の2つの正面穴33，34内で回転可能なように取り付けられるピン32に堅固に接続されるプレート31に固定される。それは、軸30と一致した共通軸を有する。
【００１４】
図7において、プラスチック材料からなるタブレット29の本体を金属製のプレート31に固定するためのねじ35（図12，13を参照すること）の1つが示されている。
【００１５】
ピン32は、プレート31と回転可能な支持体12のアーム14との間に挿入されプレート31及び座金39のそれぞれの中に対応する横断面を有する穴37，38を係合する、平行な平面36を備えた、非円形の横断面を有する端部を有する。したがって、タブレット29は、ピン32に回転状態で接続される。
【００１６】
回転可能な支持体12のアーム15の内側上には、回転可能にピン32を支えるプラスチック材料からなるブッシユ40が、固定されているが、金属と金属との接触から生じる摩擦を避けるために、ピン32の表面と穴34の壁との間にわずかな遊びを残すことができる。ブッシユ40は、アーム15の周囲エッジ上に形成されたみぞ穴42に前方歯状物41のはめあい係合によって、アーム15に固定される。
【００１７】
したがって、ブッシユ40は、アーム15に堅固に接続されるが、ピン32がその中で自由に回転できる。回転可能な支持体12の他のアーム14では、穴33は、プラスチック材料からなるブッシユ44の低減した直径（図3）の部分43によって係合され、その機能が以下の中で明白に示されたカムプレート45を含む。ブッシユ44は、アーム14の穴33内で自由に回転できるとともに、ピン32に回転可能な状態で接続される。
【００１８】
アーム14は、外側に曲げられた歯状物46を有する。それは、プレート31の2つの停止面47，48と協働して、軸30のまわりにあるタブレット29の2つの端位置を規定する。特に、回転可能な支持体12が、タブレット29の垂直状態に対応する軸8のまわりで回転したその位置にあるとき（その状態を図3に示す）、タブレット29とそれに沿ったプレート31は、持ち上げられた垂直位置（図13に示す）とレスト下部垂直位置（図1と同様に、図13に示す）との間で回転可能である。前記位置では、歯状物46が、停止面47，48のそれぞれと接触している（図12，13）。
【００１９】
図3，12，13に示したタブレットの上述の垂直状態において、タブレットは、ピン32のまわりに取り付けられるとともに、ブッシユ44の穴52に挿入された端部シャンク51を有するコイルバネ49によって、そのレスト下部位置の方にバイアスされている。ブッシユ44は、それに負荷を加えるために、バネ49の係合のために選択的に用いられる120度の角度で位置決めされた3つのシートを有する。軸30のまわりにその垂直状態でタブレット29を傾ける可能性を、図2に明瞭に示している。この図において、タブレットのレスト下部垂直位置が実線で示されるが、持ち上げられた垂直位置が点線によって示される。軸30の回りを前方に回転すること（すなわち、図1では時計回り）と、反時計回りすること（図2）によってそのレスト位置から始まって、タブレット29は、この位置に達することができる。1度、持ち上げられた垂直状態が達成されるならば、タブレットは自由に解放され、それは、戻りバネ49の作用でそれ自体でレスト下部垂直位置に戻る。
【００２０】
その代わりに、一旦、図2の点線によって示され且つ図13に示された持ち上げられた垂直位置が達成されるならば、バネ49の作用でタブレット29が軸30のまわりを回転することを妨げるために、タブレットは、その上にピン7のまわりに支持された全ての構成要素と支持体12とを回転させることによって、軸8のまわりで回転させられ、カムプレート45の平らなエッジ45aがプレート19の前平面に対して係合する。そして、タブレットは、その動作する水平位置にもたらされることができる（図6と14に示すように）。たとえそれが解放されるとしても、プレート19の停止面22に対してスタッド23の係合によって規定されるこの位置を維持する。この状態では、回転可能な支持体12の2つのアーム14，15が実質的に水平に配置されるが、タブレットの垂直状態では、それらが実質的に垂直である。
【００２１】
反対に、タブレットの動作する水平状態から始まっているならば、タブレットが、全ての支持体12と様々な構成要素とをそれらの上に支持させるともにピン7のまわりで回転させることによって、軸8のまわりで回転するために持ち上げられている。プレート19の前面からカム45の平らなエッジ45aを外すために、タブレットがその垂直状態に達するとすぐに、スプリング49は、それを逆の方に軸30のまわりに回転させることによって、動作しない下部位置（この状態では実質的に水平方向に向いている）までタブレットを戻す。
【００２２】
本発明に係る装置のさらなる特徴は、タブレット29がそのレスト下部垂直状態にあるとき、それがピン7の軸8のまわりで支持体12に沿って回転させることができるということである。しかしながら、この状態では、スタッド23と協働する2つの停止面21，22の間で規定された約90度の全角度にわたって、軸8のまわりで回転しない。実際、タブレット29がそのレスト位置にあるとき、一定の半径を有するカム45の部分45bが、プレート19の2つの停止面24，25の間のすき間に導入され、その結果、タブレット29が、図4，5のそれぞれ、あるいは図8，9に示した位置の間での変位に対応して回転することができる。図8のX-X線と図9のXI-XI線とに沿って切り取られた横断面を示す図10，11にも示すように、これらの位置は、2つの停止面24，25のそれぞれに対するカムの部分45bの係合によって規定される。言い換えると、タブレットがそのレスト状態にあるとき、図5，8に示すように傾斜位置を規定する停止手段は、上に置かれた椅子のタブレットがお互いに妨害することなく、同じタイプの多くの椅子をお互いの上に積み重ねることを可能にしている。図15には、この状態を模式的に示している。そこでは、椅子のベース構造とその上に置かれた別の椅子の構造の部分が実線によって示されている。
【００２３】
その代わりに、タブレット29が図13に示されたその持ち上げられた垂直位置にもたらされるとき、一様な半径を有するカム45の部分45bが、2つの停止面24，25の間でのすき間から現れている。その結果、前記の停止手段が使用不能となり、軸8のまわりで支持体12が回転することを制限するために動作している停止手段だけが、スタッド23と2つの停止面21，22とによって構成された停止手段である。
【００２４】
上記装置の操作は、以下に示す通りである。
【００２５】
タブレット29が図1に示されたそのレスト位置にあるとき、それは把持されて、上方及び前方に回転させることができる。図3に示すように向きを定められた支持体12と一緒にこのように回転する。タブレット29は、バネ49の作用に抗して、プレート31及びピン32とともに回転する。図13に示された持ち上げられた垂直位置が達成されると、スタッド23が停止面22に対して係合することによって規定された端位置まで支持体12をピン7のまわりに回転させることによって、タブレットは水平位置に下げられる。タブレットが水平であり、回転可能な支持体12の2つのアーム14，15は実質的に水平である。この状態において、カム44の平らなエッジ45aがプレート19の前部の表面と係合することにより、バネ49によって、タブレット29が、軸30のまわりを回転しない。タブレットが使用の間に受ける垂直方向に沿った力は、プレート19によってスタッド23を通して支持されている。それは、ピン7に安定して固定されており、肘掛けの管状構造に安定して固定されている。タブレットをそのレスト状態に戻すことを希望するならば、カム45の平らなエッジ45aがプレート19の前面での係合から現れる垂直状態に達するまで、それを持ち上げることが十分である。その結果、レスト状態に戻るように、バネ49は、タブレットに力を自由に加えることができる。重力を除いて、その動作位置でタブレットを保持することがないので、その装置はパニック防止の安全機能も達成する。なぜならば、着席していた人が立ち上がるとき、それはその人の身体によって加えられた力の結果としてのみ、タブレットが直接に把持されることなく垂直状態にもたらされるからである。タブレットが垂直状態にあるとすぐに、バネ49がレスト下部位置までそれを戻す。この状態では、カム45の一定な半径部分45bは、プレート19の2つの停止面24，25間でのすき間内に導入される。一定な半径部分45bは、タブレット29がとることができ、図4，5に図示されている2つの端位置を制限する端面として作用する。図5に示された、横方向であり外側に傾けられた位置によって、同じタイプの多くの椅子は、椅子のタブレットが妨害されることなく、お互いに積まれる。その装置は、支持体12のアーム14に固定されるプラスチック材料からなるハウジング100によって覆われる。
【００２６】
当然に、本発明の原理は同じものになっているが、構造と実施形態の詳細は、一例としてのみ図示したことに関して、本発明の範囲から逸脱することなく幅広く変化させることができる。
【図面の簡単な説明】
【図１】  本発明に係る装置を用いる、本発明に係る椅子の実施形態の斜視図である。
【図２】  本発明に係るタブレット支持装置が固定された、図1の椅子の右手の肘掛けを拡大した斜視図である。
【図３】  図2の装置の分解斜視図である。
【図４】  レスト下部垂直位置にあるタブレットを示す、図1の椅子の右手の肘掛けを立てた状態の模式正面図である。
【図５】  椅子を積むのに適した傾斜状態にあるタブレットを示す図4と同様の模式正面図である。
【図６】  実線によって示した動作位置にあるタブレットと、点線によって示したその持ち上げられた垂直位置にあるタブレットとを示す、図4，5と同様の模式正面図である。
【図７】  図1のVII-VII線に沿って切断された横断面拡大図である。
【図８】  図5の装置の横断面のいくつかの部分の拡大図である。
【図９】  レスト下部垂直位置にあるタブレットを示す図8と同様の部分拡大図である。
【図１０】  図8のX-X線に沿って切り取られた横断面図である。
【図１１】  図9のXI-XI線に沿って切り取られた横断面図である。
【図１２】  図2の詳細を示す側面図である。
【図１３】  タブレットが持ち上げられた垂直位置にある図12に対応する側面図である。
【図１４】  図6の詳細を示す拡大図である。
【図１５】  本発明に係る、お互いの上に積まれた多くの椅子を示す模式正面図である。
【符号の説明】
1  椅子
2  シート
5，6  肘掛け
7  ピン（固定支持部材）
8  軸
9，11  エレメント
12  支持体
14，15  アーム
19  プレート
20  トラック
21，22，24，25  停止面
23  スタッド
29  タブレット
44  ブッシュ
45  カム
46  歯状物
47，48  停止面
49  バネ
【図１】
0004155655.tif 000002
【図２】
0004155655.tif 000003
【図３】
0004155655.tif 000004
【図４】
0004155655.tif 000005
【図５】
0004155655.tif 000006
【図６】
0004155655.tif 000007
【図７】
0004155655.tif 000008
【図８】
0004155655.tif 000009
【図９】
0004155655.tif 000010
【図１０】
0004155655.tif 000011
【図１１】
0004155655.tif 000012
【図１２】
0004155655.tif 000013
【図１３】
0004155655.tif 000014
【図１４】
0004155655.tif 000015
【図１５】
0004155655.tif 000016